(57)【要約】【課題】映像を記録・再生する機能を備える映像監視システムにおいて、複雑な処理をすることなく、簡素な方法で、フレーム情報を含む正確な映像記録時刻を映像再生時に映像に同期して表示することとともに、番組編集用としても、時刻情報を失うことなく監視映像を忠実に再生することを目的とする。【解決手段】標準時刻情報によって定期的に校正された日時情報や撮像装置の制御状況データを記録映像に同期して一定周期で、映像ストリームとは別データとして蓄積媒体に書き込む手段を有し、再生時にこの日時情報を再生映像に多重する機能を備える。【選択図】        図１
2004304503.tif 000002
【特許請求の範囲】
【請求項１】
映像情報および音声情報を得るための撮像手段と、この撮像手段からの映像・音声を圧縮する符号化手段と、この符号化データを記録、再生することが可能な蓄積記録・再生手段と、再生したデータを圧縮前の信号に復号する復号手段と、収録時の日時情報を再生時に表示する日時表示手段と、これら撮像手段、蓄積記録・再生手段、表示手段を遠隔操作可能なリモート制御手段とを備える映像監視システムにおいて、
標準時刻情報によって定期的に校正される日時情報発生手段と、日時情報を記録映像に同期した一定周期で、符号化された映像ストリームデータと再フォーマット化することなく別データとして蓄積記録・再生手段に書き込む手段を有し、再生時にこの日時情報を再生映像に多重する機能を備えることを特徴とした映像監視システム。
【請求項２】
請求項１に記載の日時情報には、日時情報を基準としてリセットされる映像フレームカウント情報が含まれていること特徴とする映像監視システム。
【請求項３】
請求項１または２に記載の日時情報を、再生時に映像に文字多重、所謂スーパーインポーズ表示するとともに、時刻情報を垂直ブランキングにＶＩＴＣ（Ｖｅｒｔｉｃａｌ  Ｉｎｔｅｒｖａｌ  Ｔｉｍｅ  Ｃｏｄｅ）として多重する手段を有し、文字多重の有無を選択する手段を備えることを特徴とする映像監視システム。
【請求項４】
請求項１〜３に記載のいずれかの映像監視システムであって、映像を記録する際、イベント発生時の書き込みアドレスを保持する手段を有し、該イベント発生時のアドレスによって記録映像の指定位置から再生する手段を備えることを特徴とする映像監視システム。
【請求項５】
請求項１〜３に記載のいずれかの映像監視システムであって、時間／アドレス変換手段によって映像と同期した日時情報を基に読み出しアドレスを発生させる手段を有し、該読み出しアドレスによって記録映像の指定位置から再生する手段を備えることを特徴とする映像監視システム。
【請求項６】
映像情報および音声情報を得るための撮像手段と、この撮像手段からの映像・音声を圧縮する符号化手段と、この符号化データを記録、再生することが可能な蓄積記録・再生手段と、再生したデータを圧縮前の信号に復号する復号手段と、これら撮像手段、蓄積記録・再生手段、表示手段を遠隔操作可能なリモート制御手段とを備える映像監視システムにおいて、
記録映像に同期して、撮像時のカメラ角度情報、レンズ調整情報といった撮像手段の制御情報や周辺の気象情報などの撮像状況データを、符号化された映像ストリームデータと再フォーマット化することなく別データとして蓄積記録・再生手段に書き込む手段を有し、再生時に映像と同期して、該撮像状況データを取り出し、記録時の撮像状況を再現する手段を備えることを特徴とする映像監視システム。
【請求項７】
請求項６に記載の映像監視システムであって、撮像状況データとともに請求項１￣３に記載の日時情報を記録映像に同期して、符号化された映像ストリームデータと再フォーマット化することなく別データとして蓄積手段に書き込む手段を有し、請求項４、５に記載の再生手段を備えることを特徴とする映像監視システム。
【発明の詳細な説明】
【０００１】
【発明の属する技術分野】
本発明は、映像情報および音声情報を圧縮して蓄積媒体に記録、再生することが可能な装置に関するもので、日時情報や、撮像条件などの収録時の映像に付随する情報を再生時に表示する映像・音声監視システムの改良に関する。
【０００２】
【従来の技術】
映像・音声を蓄積可能な映像・音声監視システムにおいては、地震、噴火、事故などイベント発生時の蓄積映像を再生するとき、イベント発生の時刻が映像とともに同期して表示されることが大変重要なことである。従来の映像監視システムにおいては、入力映像に日時情報をスーパーインポーズした後、デジタルデータに変換して、蓄積媒体に書き込むことで映像記録を行っていた。また最近は、ＭＰＥＧ（Ｍｏｖｉｎｇ  Ｐｉｃｔｕｒｅ  ｉｍａｇｅ  ｃｏｄｉｎｇ  Ｅｘｐｅｒｔ  Ｇｒｏｕｐ）に代表されるような圧縮技術の急速な発展により、映像・音声データを圧縮して記録することにより、長時間記録を可能にする方式も実現されている。
【０００３】
しかしながら、入力映像に日時情報をスーパーインポーズした映像を圧縮した後、記録・再生を行った場合、日時情報を表す文字周辺に圧縮歪による画質劣化が生じ易いことや、スーパーインポーズしない原画像を表示できないため映像編集に制限が生じるなど不都合なことが多い。そこで映像・音声を圧縮して記録する場合、日時情報は映像に多重せず、別データとして記録する方式をとることがある。
【０００４】
圧縮映像データに日時情報を入れ込まないで記録する場合、映像のユーザデータとしてビデオストリーム中に多重する方法や、日本の地上デジタル放送規格であるＡＲＩＢ  ＳＴＤ−Ｂ１０や欧州デジタル放送規格のＤＶＢ  ｓｙｓｔｅｍｓ（ＥＴＳ３００  ４６８）といった放送規格に定められているように時刻と日付情報であるＴＤＴ（Ｔｉｍｅ  ａｎｄ  Ｄａｔａ  Ｔａｂｌｅ）をＴＳ（Ｔｒａｎｓｐｏｒｔ  Ｓｔｒｅａｍ）として独立したパケットとして書き込む方法が考えられる。
【０００５】
日時情報をデータとして多重化する方法の例としてＴＤＴを用いた場合を図８に示し、その概要を説明する。
【０００６】
映像・音声圧縮符号化部７０に入力された映像信号および音声信号は、圧縮符号化処理され、ＰＥＳ（Ｐａｃｋｅｔｉｚｅｄ  Ｅｌｅｍｅｎｔａｌｌｙ  Ｓｔｒｅａｍ）  パケット化されて多重化部７４に入力される。時計部７２は、標準時刻（ＪＳＴ，ＧＭＴなど）を参照した正確な日時データを多重化部７４に出力する。
【０００７】
多重化部７４においては、映像、音声のＰＥＳデータはＴＳ化され、日時データは、ＴＤＴとして定められたパケットＩＤを付けてＴＳパケット化し、周期的にＴＳデータとして映像、音声データストリームと多重化され、蓄積記録・再生部７５に出力される。
【０００８】
蓄積記録・再生部７５において、書き込み、読み出しを行って出力された映像、音声、日時データが多重化されたストリームは、データ分離部７６において、パケットＩＤの識別によって、映像・音声データと日時データに振り分けられ、映像・音声データは映像・音声復号化部７６において、それぞれもとの信号に復号される。日時データは、ＴＤＴが入ったパケットから抽出され、日時データ多重部７８において映像信号に多重されて表示されることになる。
【０００９】
前記映像のユーザビットを利用する方法は、下層のストリームを解析して、取り出す必要があり処理が複雑となるが、ストリームデータに日時データを多重して記録し、映像出力部で多重して表示する方式は類似している。
【００１０】
また、他の従来例としてＭＰＥＧで規定されているシステム基準クロックであるＳＣＲ（Ｓｙｓｔｅｍ  Ｃｌｏｃｋ  Ｒｅｆｅｒｅｎｃｅ）を利用して時刻情報を生成する方法も提案されている（特開平１０−１４５７３３）。
【００１１】
この方法は、ＭＰＥＧシステムとして必要なＳＣＲを利用して時刻情報を生成しようとするものでＳＣＲを映像再生時に取り出し、記録開始時刻との演算で記録時刻を求め、前例同様、映像に多重表示するものである。
【００１２】
【発明が解決しようとする課題】
しかしながら、ＴＤＴを利用しようとする場合は、ＴＳパケットを形成する必要があり、ＴＤＴ利用のためだけにＴＳパケット化することはハード的にムダが多く、前記映像のユーザビットを利用する方法は、下位階層のストリームを解析して、取り出す必要があり、さらに処理が複雑となり、対応していないＭＰＥＧ＿ＬＳＩも多い。
【００１３】
また、後者のＳＣＲを利用する方式の欠点は、正確な時刻を求められないことにある。通常ＳＣＲは、撮像機器の映像周波数を決定する発振器を基準とするので、時計精度がこの発振器精度に依存してしまい、また、入力映像信号が無い場合は時刻情報を送ることができない、さらに校正も困難であるなど、正確な時刻が必要な監視システム用途には適当な方法ではない。
【００１４】
本発明は上述したような日時情報のＴＳパケット化やユーザビット利用といった複雑な処理を必要とすることなく、簡素な方法で正確な映像記録時刻および時刻基準のフレーム情報を映像再生時に映像に同期して表示することとともに、番組編集用としても、時刻情報を失うことなく監視映像を忠実に再生することを目的とする。
【００１５】
【課題を解決するための手段】
前述の課題を解決するため本発明の請求項１に記載の映像監視システムは、映像情報および音声情報を得るための撮像手段と、この撮像手段からの映像・音声を圧縮する符号化手段と、この符号化データを記録、再生することが可能な蓄積記録・再生手段と、再生したデータを圧縮前の信号に復号する復号手段と、収録時の日時情報を再生時に表示する日時表示手段と、これら撮像手段、蓄積記録・再生手段、表示手段を遠隔操作可能なリモート制御手段とを備える映像監視システムにおいて
標準時刻情報によって定期的に校正される日時情報発生手段と日時情報を記録映像に同期した一定周期で、符号化された映像ストリームデータと再フォーマット化することなく別データとして蓄積記録・再生手段に書き込む手段を有し、再生時にこの日時情報を再生映像に多重する機能を備えることを特徴とする。
【００１６】
本発明の映像監視システムによれば、簡易なハード構成で記録時の映像と時刻を表示できるので、イベント発生時の正確な時刻を映像フレーム単位で確認でき、また番組編集においても、時刻情報を失うことなく監視映像を忠実に再生することが可能になる。
【００１７】
【発明の実施の形態】
以下、本発明の実施の形態を図１を用いて説明する。
【００１８】
図１は、本発明の第一の実施形態を示している。
【００１９】
従来例として説明した図８と同様、映像・音声圧縮符号化部１１に入力された映像信号および音声信号は、圧縮符号化処理され、ＰＥＳパケット化されて蓄積記録・再生部１４に入力される。日時情報発生部１３は、ＧＰＳ（Ｇｌｏｂａｌ  Ｐｏｓｉｔｉｏｎｉｎｇ  Ｓｙｓｔｅｍ）、電波時計、ラジオ・テレビの多重放送の時刻情報、電話回線の時報といった標準時刻（ＪＳＴ，ＧＭＴなど）を参照した正確な日時データにより定期的に校正される機能を有し、日時データ書き込みタイミング発生部１２に正確な日時データを出力する。
【００２０】
日時データ書き込みタイミング発生部１２では、入力された映像信号から映像周波数成分を抽出し、映像信号に同期させた書き込みタイミングで蓄積記録・再生部１４に対し、日時データの書き込み動作を行う。ここで入力映像信号をＮＴＳＣ信号、書き込みタイミングをフレーム周期とする場合を例に説明する。
【００２１】
ＮＴＳＣ信号の場合、映像フレーム周波数は３０／１．００１［Ｈｚ］であるから、映像フレーム周波数基準で３０カウントした場合、正確に１秒にはならない。ＳＭＰＴＥ−１２Ｍにおいては、この誤差を減少させるために各分のスタートにおいてカウントしないフレームを規定（４．２．２ドロップフレーム）しているが、誤差ゼロになることはないと説明されている。
【００２２】
そこで、請求項２に記載したように、日時情報を基準として、映像フレームカウンタを動作させる。図２並びに図３を用いて、この動作を説明する。
【００２３】
図２において、同期信号検出部２０では、入力された映像信号から映像同期信号を検出する。この検出信号を基準に映像フレームカウンタ２２は、映像フレームの先頭タイミングを生成し、映像フレームカウンタをカウントアップする。また、日時データ監視部２４では、日時情報発生部１３から日時データが入力され、秒下位桁データが変化した時のタイミングを映像フレームカウンタ２２に出力する。映像フレームカウンタ２２は、公称フレーム数／秒（ＮＴＳＣであれば３０）カウント後、または秒下位桁データが変化した時から次にくるフレームの先頭タイミングでリセットされる。
【００２４】
映像フレームカウンタ２２のリセット動作について図３を用いて詳細に説明する。
【００２５】
起動時、映像フレームカウンタは、日時情報とは無関係に映像フレームの先頭タイミングでカウントアップする。日時データ監視部２４から秒下位桁データが変化した時のタイミング信号が入力された場合、図３（ａ）に示すように、次のカウントアップタイミングで映像フレームカウンタをリセットする。
【００２６】
その後は、図３（ｂ）に示すように、映像フレームカウント値が２９の区間に秒下位桁データ変化タイミングがくるように動作する。しかし、先に述べたように“３０フレーム≠１秒”であるから、映像フレームカウンタは、１秒より速く回り、秒桁変化タイミングが、映像フレームカウント値０の区間になる場合が発生する。この場合は、起動時のリセット動作同様、図３（ｃ）に示すように、秒下位桁データが変化した時のタイミング信号が入力された次のカウントアップタイミングで映像フレームカウンタをリセットする。
【００２７】
映像フレームカウンタ出力を連続して０にすることで、カウントしない映像フレーム（以下ドロップフレーム）を発生させている。図３（ｂ）に示す通常動作と図３（ｃ）に示すドロップフレーム動作の発生割合は、１０００：１となる。
【００２８】
このように日時情報を基準として、映像フレームカウンタのリセット動作を行うことで、時刻基準で映像フレームカウンタのドロップフレーム（図３（ｃ）の最初の０フレーム）動作が行なわれ、映像フレームカウンタと時刻との差が自動的に吸収される。
【００２９】
次に、日時情報発生部１３からの日時情報及び映像フレームカウンタ２２のカウント値は、映像フレームカウンタ２２から、カウントアップタイミング直後に出力されるイネーブル信号に従って、データ保持部２８で保持され、蓄積記録・再生部１４への書き込みデータとなる。
【００３０】
蓄積記録・再生部１４は、映像・音声圧縮符号化部１１からのＰＥＳパケット化された符号化データと日時データ書き込みタイミング発生部１２からの日時データを書き込み、リモート制御手段１９からの読み出し制御信号を受け、記録されている圧縮データと日時データを指定の位置から読み出し出力する。
【００３１】
ここで読み出し位置指定は、ランダムにアドレス指定することも可能であるが、請求項３及び４に記載したように、災害等イベント発生時にリモート制御手段１９から制御を行い、書き込みアドレス保持手段を備えることによって、イベント発生時の蓄積記録・再生部１４における書き込みアドレスを保持しておき、所謂、頭だし再生を行うことが可能になる。
【００３２】
また、映像に同期した日時情報を読み出しているので、現在表示時刻から時間指定で再生位置を変更することも可能である。蓄積記録・再生部１４におけるデータの書き込み動作と請求項３および請求項４に記載の構成を図４を用いて詳細に説明する。
【００３３】
蓄積記録・再生部１４は、主として蓄積媒体４０、書き込み制御部４１、アドレス発生部４２、書き込みアドレスを保持する手段である書き込みアドレス保持器４４、読み出しアドレス発生部４６、読み出し制御部４７から構成される。イベント発生時、リモート制御手段１９から書き込みアドレス保持器４４にイネーブル信号が送られ、イベント発生時の書き込みアドレスが書き込みアドレス保持器４４に保持される。
【００３４】
入力されたＰＥＳデータと日時データは、書き込み制御部４１において蓄積媒体４０の書き込み形式への変換及び書き込み制御を受ける。
【００３５】
以下に、書き込み制御部４１の動作例を
映像・音声を圧縮符号化されたＰＥＳデータのデータ幅を８ｂｉｔ
ＰＥＳデータのデータレートを４Ｍｂｐｓ
日時データはＳＭＰＴＥ−１２Ｍに規定されるＶＩＴＣ形式のシリアルデータ（１ｂｉｔ幅）
蓄積媒体をデータ幅６４ｂｉｔ／ｗｏｒｄのメモリー
として具体的に説明する。
【００３６】
図５にメモリーのデータエリア図を示す。日時データの書き込みエリアは、最上位の１ｂｉｔに固定し、残りの６３ｂｉｔをＰＥＳデータに割り当てる。８ｂｉｔ幅のＰＥＳデータを並列処理して
１アドレスあたり６３ｂｉｔ  幅に変換する。１アドレスでは、８ｂｉｔ幅データが７Ｂｙｔｅと余り７ｂｉｔとなるので、端数データは、次のアドレスで送る。このように端数データを順送りして８アドレスで端数が無くなり、６３  ＢｙｔｅのＰＥＳデータを書き込みデータとすることができる。
【００３７】
８アドレス１周期の変換処理となるので、端数の無いデータを先頭から書き込むことを示すマーカがあれば読み出し時の処理が簡単になるので、マーカデータを最上位ｂｉｔに書き込む。
【００３８】
マーカデータは、例えば１６ｂｉｔ連続０などＶＩＴＣと区別ができればよく、書き込み周期は、１映像フレームに数回程度あれば、再生時に処理遅れを感じることはない。
【００３９】
ここで、日時データに割り当てられるデータ量を計算すると
１映像フレームあたりの日時データ書き込みエリア（最上位ｂｉｔ）は、
４［Ｍｂｉｔ］／３０［ｆｒａｍｅ］／６４  ≒  ２０８３  ［ｂｉｔ］
となり、マーカデータを１６ｂｉｔ、書き込み周期を１映像フレームに５回としても９０ｂｉｔ減るだけで、ＳＭＰＴＥ−１２Ｍに定められているＶＩＴＣ（９０ｂｉｔ／ｆｒａｍｅ）を書き込むには、
ＶＩＴＣ用としてヘッダデータを付加しても十分なデータ領域で、さらに請求項６、７に記載した撮像状況データを追加する場合でも、適当なデータ量と考えられる。
【００４０】
また、マーカデータを最上位ｂｉｔに書き込む場合、日時データの書き込みが、１６ワード時間待たされることになるが、映像フレーム時間に比べ十分小さいので再生時、表示誤りを起こすことは無い。
【００４１】
次に、読み出し動作の説明を行う。
【００４２】
蓄積媒体４０からのデータ読み出しは、読み出しアドレス発生部４６からのアドレス指定に従って行われ、読み出し制御部４７において、ＰＥＳデータと日時情報に分離され出力される。
【００４３】
前記、書き込み制御部４１の動作説明における蓄積媒体４０を、データ幅６４ｂｉｔ／ｗｏｒｄのメモリーとした具体例の場合であれば、マーカデータの検出によって８ｂｉｔ幅のＰＥＳデータと１ｂｉｔのＶＩＴＣを容易に分離出力できる。
【００４４】
ここでの読み出しアドレス指定は、リモート制御手段１９からの選択も可能で、例えば、書き込みアドレス保持器４４に保持されたイベント発生時のアドレスを参照して、イベント発生直前からの頭だし再生をおこなうことができる。
【００４５】
また、読み出しアドレス発生部４６前に、時間／アドレス変換手段４８を備えることにより、現在表示されている時刻情報から、「３０秒前の映像から再生」といった時間指定再生をも可能になる。
【００４６】
図４中、４９は、日時データを遅延させる回路で、映像・音声の圧縮伸長処理を行う時間分だけ、日時情報出力を映像出力に対して遅らせる必要があり、圧縮伸長処理時間分の遅延回路を設けて時間調整を行っている。
【００４７】
蓄積記録・再生部１４から読み出された圧縮データは、映像・音声復化号部１６に入力され、圧縮前の映像信号、音声信号に伸長され出力される。映像信号は、表示部１８において、蓄積記録・再生部１４から読み出された日時情報と多重されて表示される。
【００４８】
ここで表示部１８は、請求項３に記載したように日時情報を映像にスーパーインポーズして表示する機能とともに垂直ブランキングエリアにＶＩＴＣとしてデータ多重する手段を備えている。フレーム情報、時刻情報等の多重内容、位置などはＳＭＰＴＥ−１２Ｍに規定されているので詳細説明は省略するが、規定されたように時刻情報を載せて生成した信号と映像信号の垂直ブランキングライン（例えば１２ライン）の信号とを切り替えることで達成できる。
【００４９】
また、表示部１８においては、図６に示すようにリモート制御手段１９からの制御信号を受けて、映像信号に日時情報を多重する、しないを選択する選択手段５２を備えている。この選択手段は、文字多重回路５０を通過して文字多重された映像信号の出力と文字多重される前の信号を切り替えている。
【００５０】
このような構成にすることにより、編集のために日時情報がスーパーインポーズされていない映像が必要な場合でも、ＶＩＴＣによってフレーム単位で正確な時刻情報を得ることが可能になる。
【００５１】
なお、本実施例のように日時情報をフレーム単位で書き込みを行った場合、時刻は、最大１フレーム時間遅れることがあるが、ＶＩＴＣ、スーパーインポーズともフィールド周波数以下の精度では表示することはできないので、実用上は問題ない精度といえる。
【００５２】
次に請求項６及び７に記載した構成をとる第二の実施例について図７を用いて説明する。
【００５３】
請求項７に記載した、撮像手段からの映像・音声を圧縮して記録、再生し、収録時の日時情報を再生時に表示することを含む構成は、第一の実施例と同様の構成であるのでその動作については省略する。
【００５４】
本例の特徴は、日時情報以外に、請求項６に記載した記録映像に同期して、撮像手段の制御情報や周辺の気象情報などの状況データを日時情報同様、符号化された映像ストリームデータと再フォーマット化することなく別データとして蓄積記録・再生手段に書き込み、再生時に映像と同期して、該データを取り出し、記録時の撮像状況を再現する手段を備えることにある。
【００５５】
映像監視システムにおいては、撮像手段に対して、撮像手段を制御する制御信号を送っており、この制御信号は、撮像装置制御部６２によって、カメラ上下方向制御、左右回転方向制御、レンズ制御といった情報に解釈され、撮像手段を制御している。
【００５６】
撮像装置制御部６２においては、制御された撮像手段の状況（例えばカメラ上下、左右角度、レンズズーム位置、絞りなど）および周辺気象情報（気温、雨量計データ）などの情報を撮像状況データとして、日時データ書き込みタイミング発生部６４に出力される。日時データ書き込みタイミング発生部６４では、制御データを日時データ書き込みタイミングと同じタイミングで定期的に蓄積記録・再生部６６に記録する。
【００５７】
蓄積記録・再生部６６は、図４を用いて説明した蓄積記録・再生部１４の動作に類似しており、蓄積媒体に対して、撮像状況データの書き込み、読み出し機能を追加したものである。
【００５８】
撮像状況データは、日時データと同様、映像圧縮データと同期して蓄積記録・再生部６６に書き込まれ、映像再生時に蓄積記録・再生部６６から読み出され、リモート制御部６８に出力される。
【００５９】
リモート制御部６８においては、撮像状況データから「何時何分何秒」の映像の撮像条件、周辺状況を知ることができ、過去の撮像条件を再現することが可能になる。
【００６０】
なお、日時データ、撮像状況データを映像と別データとして記録していることにより、冗長な蓄積領域が増えることになり、記録時間を優先した場合、映像・音声の圧縮レートを下げることになるが、第一の実施例の具体例において説明したように数ｋｂｉｔ／ｆｒａｍｅの増加であり、監視用途の画質に影響を与えることはほとんど無い。
【００６１】
【発明の効果】
以上本願の請求項１に記載したように、圧縮映像を記録・再生する映像監視システムにおいて、
標準時刻情報によって定期的に校正される日時情報発生手段と、日時情報を記録映像に同期した一定周期で、符号化された映像ストリームデータと再フォーマット化することなく別データとして蓄積記録・再生手段に書き込む手段を備え、再生時にこの日時情報を再生映像に多重する手段を設けたので、
日時情報のＴＳパケット化やユーザビット利用といった複雑な処理を必要とせず、また、入力映像信号の影響を受けることなく、簡素な方法で正確な映像記録時刻を映像再生時に表示することができる。
【００６２】
さらに、本願の請求項２に記載したように、日時情報に映像フレーム情報を含め、このフレーム情報を校正された日時情報を基準に発生させる構成にすることにより、自動的にドロップフレームが行われるフレーム情報も表示することができる。
【００６３】
また、請求項３に記載したように、再生時に映像にスーパーインポーズ表示するとともに、時刻情報を垂直ブランキングにＶＩＴＣとして多重する手段と文字多重の有無を選択する手段を備えることによって、
多重文字の無い映像を映像編集時に使うことが可能になり、この場合でもＶＩＴＣにより時刻、フレーム情報を知ることが可能になる。
【００６４】
請求項４、請求項５に記載したように、イベント発生時の書き込みアドレスを保持する手段や時間／アドレス変換手段を設けることにより、指定位置から再生を容易にすることができる。
【００６５】
また、請求項６、請求項７に記載したように、撮像時の条件、状況を映像と同期して記録することにより、記録時の操作を再現できるので、イベント発生前後と現在の映像を比較してみるなどニュースなどの番組効果をあげるような編集を容易におこなうことができるようになる。
【００６６】
以上、述べたように、本発明は、簡易なハード構成で、正確な映像フレーム情報を含む日時情報を画像単位で同期して表示でき、また容易な頭だし再生が可能であるので、緊急報道用の監視システムに用いられて、作業効率の向上につながる効果が期待でき、また、文字スーパーの無い映像でも記録時の状況再生をフレーム単位で行うことができるので、質の高い番組編集を効率的に行うことができる。
【図面の簡単な説明】
【図１】本発明の第一の実施形態の構成を示すブロック図である。
【図２】本発明の日時データ書き込みタイミング発生部の構成を示すブロック図である。
【図３】本発明のタイミング発生部における日時情報を基準とするフレームカウンターのリセット形態を示すタイミング図である。
【図４】本発明の蓄積記録・再生部の構成を示すブロック図である。
【図５】本発明の蓄積記録・再生部の、蓄積媒体の具体例であるメモリーの蓄積構造を示すデータエリア図である。
【図６】本発明において日時多重を行う、表示部の構成を示すブロック図である。
【図７】本発明の第二の実施形態の構成を示すブロック図である。
【図８】従来例を説明するための構成図である。
【符号の説明】
１  映像・音声圧縮符号化部
１２  日時データ書き込みタイミング発生部
１３  日時情報発生部
１４，７５  蓄積記録・再生部
１６  映像・音声復化号部
１８  表示部
６８  リモート制御部
６２  撮像装置
６２  撮像装置制御部
【図１】
2004304503.tif 000003
【図２】
2004304503.tif 000004
【図３】
2004304503.tif 000005
【図４】
2004304503.tif 000006
【図５】
2004304503.tif 000007
【図６】
2004304503.tif 000008
【図７】
2004304503.tif 000009
【図８】
2004304503.tif 000010